(57)【特許請求の範囲】
【請求項１】
ステントのための壊れやすい橋構造物（４）であって、
３つの連続的な分岐（１１、１２、１３）、すなわち、前記橋構造物（４）が接続されることを可能にするステント部分（２）の１つに接続された第１前記分岐（１１）、前記橋構造物（４）が接続されることを可能にする前記ステント部分（２）の他方に接続された第２前記分岐（１２）、前記第１及び第２分岐（１１，１２）の間に延在する第３中間分岐（１３）、を備え、前記第１及び第２分岐（１１，１２）は、２つの接続部分により、前記第１及び第２分岐（１１，１２）の中間にある前記第３分岐（１３）に接続され、３つの前記分岐（１１、１２、１３）は互いに平行に伸び、互いに直近にあり、
これらの接続部分は壊れやすく、これらの壊れやすい接続部分は、前記分岐（１１、１２、１３）の破壊耐性よりも低い破壊耐性を有するように形成されることを特徴とするステントのための壊れやすい橋構造物。
【請求項２】
前記分岐（１１、１２、１３）が互いに平行に伸び、前記分岐（１１、１２、１３）の長手方向が前記ステントの長手方向に垂直に方向付けられていることを特徴とする請求項１に記載の壊れやすい橋構造物。
【請求項３】
前記分岐（１１，１２、１３）が互いに平行に伸び、前記分岐（１１、１２、１３）の長手方向が前記ステントの長手方向に非垂直に方向付けられていることを特徴とする請求項１に記載の壊れやすい橋構造物。
【請求項４】
前記橋構造物（４）は、４〜１０気圧のバルーン膨張圧力の下で破壊可能であることを特徴とする請求項１に記載の壊れやすい橋構造物。
【請求項５】
前記橋構造物（４）は、前記橋構造物（４）の曲げに伴う可撓性を有する一方、長手方向に広がる力が前記橋構造物（４）に加えられた場合に、壊れやすいことを特徴とする請求項１に記載の壊れやすい橋構造物。
【請求項６】
前記橋構造物（４）の前記接続部分が前記分岐（１１、１２、１３）の断面よりも小さい断面を有し、例えば、これら接続部分の幅が前記分岐（１１、１２、１３）の幅に対して小さい幅の形態で、及び／又は、これら接続する部分に配置される１又はいくつかの穴又はノッチの形態であることを特徴とする請求項１に記載の壊れやすい橋構造物（４）。
【請求項７】
前記接続する部分の小さい幅が、１つのそれらの端部から、前記接続する部分に配置されるスロット（１５）に起因することを特徴とする請求項６に記載の壊れやすい橋構造物（４）。
【請求項８】
前記ステントが配置状態にない場合に、前記スロット（１５）が前記分岐（１１、１２、１３）の長手方向に対して傾斜していることを特徴とする請求項７に記載の壊れやすい橋構造物（４）。
【請求項９】
２つの連続的な前記分岐（１１、１２、１３）が１００ミクロンよりも短い距離だけ、互いに分離されていることを特徴とする請求項１〜８のいずれか１項に記載の壊れやすい橋構造物（４）。
【請求項１０】
前記中間分岐（１３）が、５００ミクロンよりも短い長さを有し、前記第１及び第２分岐（１１、１２）はそれぞれ３００ミクロンよりも短い長さを有することを特徴とする請求項１〜９のいずれか１項に記載の壊れやすい橋構造物（４）。
【請求項１１】
各分岐（１１〜１３）の幅が、１００ミクロンよりも短いことを特徴とする請求項１〜１０のいずれか１項に記載の壊れやすい橋構造物（４）。
【請求項１２】
これらの分岐（１１〜１３）を２つずつ接続する前記接続部分の幅が、５０ミクロン以下であることを特徴とする請求項１から１１のいずれか１項に記載の壊れやすい橋構造物（４）。
【請求項１３】
前記分岐が、台形形状の横断面を有し、前記台形の最も長い側が前記ステント（２）の半径方向の外部側上に配置されることを特徴とする請求項１〜１２のいずれか一項に記載の壊れやすい橋構造物（４）。
【請求項１４】
前記台形の前記最も長い側が１００ミクロンよりも短い長さを有し、前記ステントの内部側に半径方向に配置されたこの最も長い側に平行な側が、１００ミクロンよりも短い長さを有し、これらの側の間の距離、すなわち、前記台形の高さは、２００ミクロンよりも短いことを特徴とする請求項１３に記載の壊れやすい橋構造物（４）。
【請求項１５】
請求項１〜１４のいずれか１項に記載の前記橋構造物（４）を有する複数の壊れやすい橋を備えることを特徴とするステント。
【請求項１６】
連続的に、それらの端部で、曲がった領域（７）のそばで、互いに接続される複数のストラット（６）により形成されたステント部分（２）を含み、これらのステント部分（２）はこのように、前記ステント（２）の配置された状態において、ジグザグ構造物をも有することを特徴とする請求項１５に記載のステント。
【請求項１７】
前記橋構造物（４）の前記接続する部分が、前記ストラット（６）の破壊耐性よりも低い破壊耐性を有するように形成されていることを特徴とする請求項１６に記載のステント。
【請求項１８】
前記分岐（１１、１２、１３）は前記ステント部分の側壁に平行な状態に維持され、前記分岐（１１、１２、１３）は、前記橋構造物（４）の接続部分での破壊後に前記ステント部分の側壁に固着されていることを特徴とする請求項１７に記載のステント。
【請求項１９】
前記壊れやすい橋（４）が、前記曲がった領域（７）の全て又は一部において、前記ステント部分（２）に接続されていることを特徴とする請求項１６に記載のステント。
【請求項２０】
前記曲がった領域（７）が、２つの又はそれ以上の曲がった領域、例えば一列の３つの曲がった領域毎に、橋（４）に接続されていることを特徴とする請求項１６に記載のステント。
【請求項２１】
前記橋構造物（４）が、４〜１０気圧のバルーン膨張圧力の下で破壊可能であることを特徴とする請求項１５に記載のステント。
【請求項２２】
体内の導管に、特に、血管の分岐点に、ステントを配置するためのシステムであって、
請求項１５〜２１のいずれか１項に記載のステント、と
破壊装置（１００）であって、２つの連続的な前記ステント部分（２）の間に係合することができ、これらの２つのステント部分（２）を接続する前記橋構造物（４）に張力をかけて、これらの橋構造物（４）の全て又は一部の破壊を達成することができる破壊装置（１００）と、
を備えることを特徴とするシステム。
【請求項２３】
前記破壊装置がバルーン（１００）を備えることを特徴とする請求項２２に記載のシステム。
【発明の詳細な説明】
【技術分野】
【０００１】
この出願は、仏国特許出願第０７００１０９号明細書及び米国仮特許出願第６０／８８０，４１８号明細書に基づく優先権を主張し、それぞれの全ての内容がここに参照により組み込まれる。
【０００２】
本願発明は、ステントのための壊れやすい橋構造物、及びそのような橋構造物を含むステントに関する。また、本願発明は、身体の導管に、特に、血管の分岐点に、ステントを置くためのシステムにも関する。
【背景技術】
【０００３】
知られるように、「ステント」という用語は拡張可能な管状の要素を示し、身体の導管に、特に、血管の分岐点に、この導管のわずかな直径を再確立するために、挿入されることを意図されている。特許文献１及び特許文献２は既存のステント構造物を例示する。
【０００４】
壊れやすい橋により接続される連続的なステント部分を含むステント構造物を提供することは、特許文献３により知られている。ステントの所定の場所における、これらの橋の１つ又はいくつかの破壊は、特にステントを横に開くことを実行すべき治療に、前記ステントの形状を採用することを可能にし、分岐部におけるステントによる血流の阻害を減少することができる。この破壊は、２つの連続したステント部分の間の適した位置に導入されるバルーンを使用することによりなされ、前記バルーンは膨張して、反対側方向のこれらの２つのステント部分に圧力をかけ、それにより長手方向の圧力を隣り合う接続部分に、これらの接続部分が破壊するまでかける。
【０００５】
特に、特許文献５は、２つの連続的なステント部分を接続する直線接続部分を含む壊れやすい構造物を開示し、そこには互いに近くに、そして前記接続部分の２つの反対の長手端の各々から、２つのＵ形状のノッチが配置されている。これらのノッチの各々は、接続部分の幅の大部分に渡って延び、それは、接続部分の対向する長手端によって、材料の薄い部分を規定し、そしてその材料の２つの薄い部分は、それらの間の中間部分を規定する。これらの薄い部分は、長手方向の接続部分に相対的な壊れやすさを付与することを可能にし、長手方向の圧力がバルーンによって薄い部分にかけられた場合にこの薄い部分が壊れることが可能になる。しかしながら、この橋構造物は、バルーンの作用の下で、２つの薄い部分が同時に破壊され、したがって患者の体内に前記中間部分を開放してしまうというリスクがあるという顕著な欠点を有する。
【０００６】
さらに、この構造物により作り出される可撓性は、ステントの全体の長手方向の可撓性に関して、完全ではなく、前記構造物がそれを得ることを可能にする。
【０００７】
特許文献４は、波形状構造物を有する橋を含むステントを記載するが、このステントは上述の欠点を解決することはできない。特許文献５は、その全内容がここで参照により組み込まれており、壊れやすい橋を記載するが、同じくこれらの欠点を解決していない。
【先行技術文献】
【特許文献】
【０００８】
【特許文献１】米国特許出願公開第２００６／００３６３１５号明細書
【特許文献２】国際公開第０３／０５５４１４号パンフレット
【特許文献３】米国特許第７，０２９，４９２号明細書
【特許文献４】欧州特許第１５１２３８０号明細書
【特許文献５】国際公開第２００６／０８７６２１号パンフレット
【発明の概要】
【発明が解決しようとする課題】
【０００９】
本願発明は、従来技術によるステントの欠点を解決することを目的としている。
【００１０】
。
本発明の実施形態によると、橋の構造物は、３つの連続的な分岐を含み、第１分岐はステント部分の１つに接続されているとともに橋構造物がステントに接続することを可能にし、第２分岐はステント部分の他の部分に接続され、橋構造物がステントに接続されることを可能にし、これらの第１及び第２分岐は２つの接続部分により、前記第１及び第２分岐の間の、第３の中間分岐に接続され、これらの３つの分岐は互いに平行に延在しており、これらの分岐の長手方向は好ましくはステントの長手方向に垂直に方向付けられ、互いにすぐ近くに近接する。他の実施形態によれば、これらの分岐も互いに平行に延び、これらの分岐の長手方向はステントの長手方向に非垂直方向に方向付けられ、互いにすぐ近くに近接してもよい。
【００１１】
これらの３つの分岐は、それらを互いに接続する異なる接続する部分を通じ、並びに対応するステント部分に前記第１及び第２分岐の接続を通じ、橋構造物が顕著な可撓性を有することを可能にし、ステントのために所望の全長手方向の可撓性を得ることに好都合である。橋構造物はまた耐性を有し、インプラントの後にかかる通常の生理学的なストレスの下では破壊されない。さらに、橋構造物はステントの半径方向の拡大では破壊されない。しかしながら、橋構造物は通常の生理学的なストレスまたは半径方向の拡大では壊れないが、橋構造物は壊す装置によりかけられた非常に弱い圧力又は力の下では壊れることができる。このように、橋構造物の破壊の間、血管への最小の生理学的な効果及び損失、及び最小のステント歪みを有する。張力が適切な手段により、例えば、バルーンによって、この橋構造物を壊すような方法で、この橋構造物にかけられた場合、３つの分岐は、壊れた線の形状で開いて、互いに接続された２つの連続Ｖを形成し、それの１つのチップはバルーンと反対の横側から曲がり、それの他のチップはバルーンの横側から曲がり、破壊が２つのＶの１つのチップで起こり（本質的にそれのチップはバルーンの反対側の横側から曲がる）第２Ｖのチップでも起こる破壊がなく、その分岐の間の角度が４５°に近接する場合に開始することが観察できる。
【００１２】
本発明の実施形態による橋構造物はこのように、患者の体内の壊れやすい橋の構造物の部分を放す危険により構成される本質的な問題をも解決することを可能にする。
【００１３】
おそらく、この結果は橋の分岐を構成する材料に、直接的にはバルーンの表面、間接的には前記バルーンの膨張によりゆがめられたステント部分、それらの両方により、かけられた曲がり及びねじりストレスの組み合わせから生じており、同様に、橋構造物の分岐の、配置の前の、直近の組み合わせ、から生じており、それはバルーンによりかけられた張力により形成された２つのＶに明確なチップを作るものである。
【００１４】
好ましくは、橋構造物の接続部分が形成されて、その分岐の破壊抵抗よりも低い破壊抵抗を有するようにする。この構造は、相対的に分岐の断面より小さな断面のこれらの接続部分を、例えば、相対的に分岐の幅より小さな幅のこれらの接続部分の形態で、又はこれらの接続部分に配置される１又はいくつかの孔又はノッチの形態で、備えてもよい。接続部分のより小さな幅は、特に、前記接続部分に配置されるスロットに起因することができ、それの端部の１つから、前記スロットは、ステントがその配置状態にない場合に分岐が推定される相対的に長手方向に特に傾斜することができる。
【００１５】
前述の中間の分岐は、例えば、０．３８ｍｍの長さを有することができ、前記第１及び第２分岐は例えば、それぞれ０．２３ｍｍの長さを有することができる。
【００１６】
実施形態において、分岐は、台形形状の横断面を有することができ、台形の最も長い側面がステントの半径方向に−外部側面に位置する。実施例において、その最も長い側面が０．０５ｍｍの長さを有することができ、その最も長い側面と平行な側面が０．０３７５ｍｍの長さをすることができ、これらの側面の間の距離（すなわち、前記台形の高さ）は０．１５ｍｍに等しいとすることができる。（この明細書において、「台形」という用語は、分岐が予め存在する管を切ることにより形成される場合に生ずるそれぞれわずかに凸及び凹表面を有する形状を包含することを意図している。）
【００１７】
本発明によるステントは１以上の前述の構造物を有する複数の壊れやすい橋を含む。
【００１８】
そのようなステントは、連続して、その端部で、曲がった領域により、互いに接続された、複数のストラットにより形成されたステント部分を備えてもよく、これらのステント部分もこうして、ステントの配置された状態において、ジグザグ形態の構造物を有することができる。前記壊れやすい橋は、前記曲がった領域の全部又は一部で、ステント部分に良好に接続される。
【００１９】
曲がった領域でのこの接続を通じて、壊れやすい橋が、ステント部分により占められる空間を侵犯することはない。これに失敗する場合、ステント部はより長くすべきであり、それはステントにとって望ましい特性で好都合であるという訳ではない。
【００２０】
前記曲がった領域は、全ての１つ又は２つの曲がった領域又はそれ以上、例えば列になった全ての３つの曲がった領域で橋に接続することができる。
【００２１】
１つのステント部分の曲がった領域は、隣接の連続するステント部の隣接の曲がった領域に長手方向に渡るように配置されることができ、又は、それらの隣接する曲がった部分に対して、周囲にオフセットされることができる。
【００２２】
体の導管に、特に、血管の分岐点に、ステントを配置するシステム、それに本発明も関連しており、−前述のようなステント、並びに、−２つの連続するステント部分の間に繋がることができて、且つこれらの２つのステント部分を接続する橋構造物に張力をかけることができる壊す装置、を備え、全部又は一部のこれらの橋構造物を壊すことを達成するようにする。前記壊す装置は、好ましくはバルーンを備えることができる。
【００２３】
添付した概略図面、図示、非限定例としての、創作的な壊れやすい橋構造物及びステントのいくつかの可能な形態を参照して、発明はよく理解されることができ、それらの他の特質及び利点が現れる。
【図面の簡単な説明】
【００２４】
【図１】ステント構造物の部分展開図を示す図である。
【図２】この構造物をこの構造物により備えられる壊れやすい橋のレベルに拡大した部分図である。
【図３】バルーンを使用し２つの壊れやすい橋を破壊する前の、ステントの配置後のこの構造物の部分図である。
【図４】バルーンを使用し２つの壊れやすい橋を破壊する後の、ステントの配置後のこの構造物の部分図である。
【図５】壊れやすい橋構造物の別の実施形態の図２に類似する図である。
【図６】壊れやすい橋構造物の別の実施形態の図２に類似する図である。
【図７】壊れやすい橋構造物の別の実施形態の図１に類似する図である。
【図８】壊れやすい橋構造物の別の実施形態の図１に類似する図である。
【発明を実施するための形態】
【００２５】
簡単のために、同じ又は類似して別の実施形態に見出される一実施形態の一部又は要素は、同じ参照符号を用いて識別され、再度記述することはしない。図１及び図２は、製造中のステント構造物１を示し図３及び図４は配置後のこの構造物の部分を示す。
【００２６】
ステント構造物１は「ニチノール」として知られるニッケル及びチタン合金の筒状体をレーザーを使用して切断することにより得ることができる。図１及び図２に示されるように、この切断は、壊れやすい橋４を含む横断領域３により分離された連続的なステント部分２を形成するように行われ、壊れやすい橋４は２つの連続的なステント部分２を接続している。
【００２７】
図示されるように、各ステント部分２は、２つの連続するＵ形状スロットを配置することにより形成することができ、Ｕの各連続が並列され、１つの連続からのＵが他の連続のＵに対して逆に配置され、交互に、それらに対して連結される。このように、各ステント部分２において、互いに接続される複数のストラット６が、連続的に、それらの端部で、曲がった領域７により、分離される。これらのステント部分２はこのように、ステントの配置された状態において、図３及び図４で見られるように、ジグザグ線構造を有する。また、図３及び図４に示されるように、配置された状態において、ステントの外側表面の周りに外側に突き出したピークはなく、また、分岐１１〜１３はどれも外側に突き出していない。これらの特徴により血管壁の貫通を避けられる。図１の実施形態の各スロットの平行なストラットは、円周状カットアウト８で終わり、領域７の凹縁を丸めることを可能とし、それによりこの縁において破壊が始まる危険を避ける。
【００２８】
領域３において、カットアウト１０が橋４が分離するように配置される。この実施形態において、前記橋４のそれぞれは、同じステント部分２の全ての第３領域７において、２つの連続的なステント部分２の向かい側の２つの領域７に接続される。
【００２９】
カットアウト１０は、各橋構造物４のために、３つの連続的な分岐を配置するようになされ、そこでの第１分岐１１は、ステント部分２の領域７の１つに接続され、橋構造物４がそれに接続することを可能にし、第２分岐１２は、他のステント部分２の領域７に接続され、橋構造物４がそれに接続することを可能にし、これらの第１及び第２分岐１１、１２が、２つの接続部分により、前記第１及び第２分岐１１、１２の間の中間の、第３分岐１３に接続され、これらの３つの分岐１１〜１３は互いに平行に、ステントの長手方向に垂直に配向されるこれらの分岐１１〜１３の長手方向に、延びる。これらの３つの分岐１１〜１３は、互いに直ぐ近くに配置され、２つの連続的な分岐１１、１３及び１３、１２は、レーザービームにより作られたスロットにより分離され、これらの２つの連続的な分岐は、１００ミクロンよりも短い距離で、例えば、５〜５０ミクロン、又は好ましくはレーザービームの薄さに対応して、例えば、１５〜２５ミクロン、好ましくは約１５ミクロンで、互いに分離される。これらの分岐１１〜１３は、交互に互いに平行に、ステントの長手方向に垂直ではない方向に配向されるこれらの分岐１１〜１３の長手方向に、延びることができる。図示された実施形態において、中間分岐１３は、５００ミクロンよりも短い長さ、例えば、１２０〜４５０ミクロンの間、しかし好ましくは３８０ミクロンを有し、及び第１及び第２分岐１１、１２はそれぞれ３００ミクロンよりも短い長さ、例えば２５ミクロン〜２５０ミクロンの間、しかし好ましくは２３０ミクロンを有する。各分岐１１〜１３の幅は、１００ミクロンよりも短く、例えば、２５〜６０ミクロンの間、及び好ましくは５０ミクロンであり、これらの分岐１１〜１３を２つずつ接続する接続部分の幅は、５０ミクロン以下、例えば１５〜５０ミクロンの間、しかし好ましくは２５ミクロンである。
【００３０】
この実施形態の分岐１１〜１３は、台形形状の横断面を有し、この台形の最も長い側がステントの半径方向の外部側上にある。図示された実施形態において、この最も長い側は１００ミクロンよりも短い長さ、例えば２５〜６０ミクロンの間及び好ましくは５０ミクロンを有し、ステントの内部側に放射的に配置されたこの最も長い側に平行な側は、１００ミクロンよりも短い長さ、２５〜６０ミクロンの間及び好ましくは３７．５ミクロンを有し、これらの側の間の距離（すなわち、前記台形の高さ）は、２００ミクロンよりも短く、例えば８０〜２００ミクロンの間、及び好ましくは１５０ミクロンに等しい。
【００３１】
実際には、ステントは例えばじゅく状斑（これは血管の直径を減少させる）を含む分岐点を治療するために使用される。金属ガイドワイアが最初に皮膚から主血管を通じて導入され、次に治療をされるべき分岐点の副血管の一つを通じ、次にガイドワイアによって導かれてカテーテルが主要血管及び副血管に係合され、このカテーテルは滑動する外部シースによって半径方向に収縮した状態に保たれたステントを含み、カテーテルの先端が前記副血管の中にある場合に、シースが末端方向に後ろ向きに滑らされて、ステントを放し、それがこの副血管中に配置し、そして主要血管に配置し、この配置は血管の壁を支持することを可能にし、それゆえ分岐点のこれらの導管を好ましい直径に戻す。
【００３２】
図３及び図４に示すように、ステントの配置の間、ステント部分２は半径方向に拡大し、ジグザグ線形状になる。各橋４の３つの分岐１１〜１３、これらの分岐１１〜１３を互いに接続する様々な接続部分、及び対応するステント部分２に前記第１及び第２分岐１１、１２の接続は、橋構造物４に著しい可撓性を与え、ステントのために所望の全長手方向の可撓性を好都合に付与する。
【００３３】
第２ガイドワイアが導入され、その後主要血管に係合され、次に、ステント壁の穴を通じ、分岐点の他の副血管に入る。この第２ガイドワイアは好適にカレーナ（ｃａｒｅｎａ）、すなわち、２つの副血管の始まりに対応する分岐点の領域、に最も近い穴を通ずる。バルーン１００を含むカテーテルが次に導入され、バルーン１００の一部、例えば半分に係合されるまで、第２ガイドワイアに係合され、ステントの壁を通じて延びる。
【００３４】
バルーン１００は次に例えば４〜１８気圧、好ましくは４〜１０気圧の圧力で膨張され、２つのステント部分２に力をかけ、２つのステント部分の間でそれは係合され、張力はこれらの２つの部分に互いに分離する。この膨張は、好ましくは、バルーンが通過するのと直径方向に反対側に配置される橋４を除いて、これらの２つのステント部分２の間に配置される橋４は壊れるまで、橋４の材料の曲げを引き起こすねじれ及び延伸を引き起こし、２つは分離するが、好ましくは接続された管状のステント部品がこのように１つは主要の血管に伸び他方は副血管に伸びるように形成される。
【００３５】
バルーン１００の膨張の間、３つの分岐１１〜１３はジグザグ線の形態に広がり、互いに接続された２つの連続的なＶを形成し、それの１つのチップはバルーン１００の反対側から曲がり、それの他方のチップはこのバルーン側から曲がり（図３参照）、上記橋構造物４で、破壊が２つのＶの１つのチップで起こり、（本質的にそれのチップはバルーン（１００）の反対側から曲がり）、第２のＶ（図４参照）のチップで破壊が起こることはないことが観察されうる。バルーンは次に萎まされ、そしてカテーテルが除去され、続いてガイドワイアが除去される。
【００３６】
上述したように、分岐１１〜１３を接続する接続部分は、これらの分岐よりの幅も小さな幅を有することができ、分岐１１〜１３の幅よりも低い破壊耐性を有する。図５は、共に、又は代替的に、これらの接続部分はそれらの抵抗を弱める穴１４を備えることができることを示し、図６は、これらの接続部分は代替的に（または追加的に）それらの間にそれらの内側端部から配置されるスロット１５を有してもよく、これらのスロット１５は好ましくはステントの非配置状態において分岐１１〜１３の長手方向に対して斜めに存在することを示す。
【００３７】
図７は、ステント部分２の曲がった領域７が全ての２つの曲がった領域で橋４に接続されることができることを示す。
【００３８】
図８は、橋４が同じゾーン３内に１つの橋４から連続する橋４に逆の配置を有してもよいことを示し、１つのステント部分２の曲がった領域７は、独立して又は橋４のこれらの逆の配置からなるのではなく、連続するステント部分２の曲がった領域７に相対してオフセットされてもよいことを示す。
【００３９】
先行して示されているように、発明は壊れやすい橋構造物、そのような橋構造物を含むステント、並びにこれらの橋構造物及びステントを製造及び使用する方法、とりわけ、壊れやすい構造物の部分が患者の体内に放たれる危険により構成される本質的な問題を解決する利点を提供している。
【００４０】
言うまでもないが、本発明は上述の実施例で示される実施形態に限られるものではなく、添付の請求の範囲によりそれは全ての実施形態に渡りカバーされる。
【符号の説明】
【００４１】
１  ステント構造物
２  ステント部分
３  横断領域
４  壊れやすい橋
６  ストラット
７  第３領域
８  カットアウト
１０  カットアウト
１１  第１分岐
１２  第２分岐
１３  第３分岐
１４  穴
１５  スロット
１００  バルーン
【図１】
0005441712.tif 000002
【図２】
0005441712.tif 000003
【図３】
0005441712.tif 000004
【図４】
0005441712.tif 000005
【図５】
0005441712.tif 000006
【図６】
0005441712.tif 000007
【図７】
0005441712.tif 000008
【図８】
0005441712.tif 000009